(57)【要約】【課題】従来の折り畳み棚のような味気なさを解消し、その棚板上に鉢植えや置物等を載置することにより、鉢植え等を含めたインテリアとしての効果を発揮できると共に、建物の外壁面に取り付けて使用しても、違和感のない折り畳み棚を提供する。【解決手段】所望の壁面に取付け可能なよう構成され、正面には棚板３を収容する凹部２２が形成されたベース板２と、前記ベース板の凹部に収容される折り畳み位置と、前記ベース板に対して略直角となる引き起こし位置との間で回動自在なよう前記ベース板２に枢着された棚板３とから成る折り畳み棚１において、前記ベース板２の正面から見た輪郭を、動植物若しくは人物の全体若しくは一部を模した形状、又は、他の事物の全体若しくは一部を模した形状のうちから選ばれたいずれか１つ又はそれらの組合せとして形成することで解決した。【選択図】図１
0003161189.tif 000002
【実用新案登録請求の範囲】
【請求項１】
所望の壁面に取付け可能なよう構成され、正面には棚板を収容する凹部が形成されたベース板と、前記ベース板の凹部に収容される折り畳み位置と、前記ベース板に対して略直角となる引き起こし位置との間で回動自在なよう前記ベース板に枢着された棚板とから成る折り畳み棚において、前記ベース板の正面から見た輪郭が、動植物若しくは人物の全体若しくは一部を模した形状、又は、他の事物の全体若しくは一部を模した形状のうちから選ばれたいずれか１つ又はそれらの組合せとして形成されたことを特徴とする、折り畳み棚。
【請求項２】
前記ベース板及び棚板がプラスチック製であることを特徴とする、請求項１に記載の折り畳み棚。
【請求項３】
前記ベース板及び棚板が木製であることを特徴とする、請求項１に記載の折り畳み棚。
【請求項４】
前記ベース板の正面から見た輪郭が、花を模した形状に形成されたことを特徴とする、請求項１乃至３のいずれか１項に記載の折り畳み棚。
【請求項５】
前記ベース板の正面から見た輪郭が、葉を模した形状に形成されたことを特徴とする、請求項１乃至３のいずれか１項に記載の折り畳み棚。
【請求項６】
前記ベース板の正面から見た輪郭が、動物の顔を模した形状に形成されたことを特徴とする、請求項１乃至３のいずれか１項に記載の折り畳み棚。
【請求項７】
前記ベース板の正面から見た輪郭が、城郭を模した形状に形成されたことを特徴とする、請求項１乃至３のいずれか１項に記載の折り畳み棚。
【請求項８】
前記折り畳み位置における棚板の正面から見た輪郭が、動植物若しくは人物の全体若しくは一部を模した形状、又は、他の事物の全体若しくは一部を模した形状のうちから選ばれたいずれか１つ又はそれらの組合せとして形成されたことを特徴とする、請求項１乃至７のいずれか１項に記載の折り畳み棚。
【請求項９】
１枚の前記ベース板に対して１枚の棚板を設けたことを特徴とする、請求項１乃至８のいずれか１項に記載の折り畳み棚。
【請求項１０】
１枚の前記ベース板に対して複数枚の棚板を設けたことを特徴とする、請求項１乃至８のいずれか１項に記載の折り畳み棚。
【考案の詳細な説明】
【技術分野】
【０００１】
本考案は、植木鉢や置物、小物等を載置でき、インテリアとしての役割を果たさせるのに適した壁面取付け型の折り畳み棚に関する。
【背景技術】
【０００２】
従来より、乗物の座席の背もたれの背面や、車窓の下枠近くの壁面、ビジネスホテルの洗面所の壁面などには、飲み物や身の回り品等を一時的に置くための折り畳み式の棚が取り付けられている。
この種の折り畳み棚の棚板は、その下辺又は上辺が、壁面に設けた枠体に回動自在に取り付けられ、不使用時には壁面に設けた枠体内へ鉛直状態にして収容され、使用時には手前に引き起こして、水平な棚板として使用されるようになっており、そのような折り畳み棚は、下記特許文献１及び２等においても開示されている。
【先行技術文献】
【特許文献】
【０００３】
【特許文献１】特許第２８８３５３０号公報
【特許文献２】登録第３０６４６９１号実用新案公報
【考案の概要】
【考案が解決しようとする課題】
【０００４】
しかしながら、従来公知のこれらの折り畳み棚は、狭い空間を有効利用したり、必要時の便宜性を確保するなど、いずれも実用本位で、形状も矩形のものばかりであり、無味乾燥で味気がないという問題点があった。
【０００５】
本考案は上記の問題点に鑑み工夫されたもので、その目的は、室内の壁面に取り付け、その棚板上に鉢植えや置物等を載置することにより、鉢植え等を含めたインテリアとして利用するのに適した折り畳み棚を提供せんとするにある。また、建物の外壁面に取り付けて使用しても、違和感のない折り畳み棚を提供せんとするにある。
【課題を解決するための手段】
【０００６】
上記した目的を達成するために本考案は、所望の壁面に取付け可能なよう構成され、正面には棚板を収容する凹部が形成されたベース板と、前記ベース板の凹部に収容される折り畳み位置と、前記ベース板に対して略直角となる引き起こし位置との間で回動自在なように前記ベース板に枢着された棚板とから成る折り畳み棚において、前記ベース板の正面から見た輪郭が、動植物若しくは人物の全体若しくは一部を模した形状、又は、他の事物の全体若しくは一部を模した形状のうちから選ばれたいずれか１つ又はそれらの組合せとして形成されたことを特徴とする。
【０００７】
この場合において、前記ベース板及び棚板は、プラスチック製であっても木製であってもよい。
また、前記ベース板の正面から見た輪郭の代表的なものとしては、植物の花や葉を模した形状、動物の顔を模した形状、お城などの昔の建物の形状等が好適に採用され得る。
更にまた、ベース板の形状だけでなく、棚板についても、前記折り畳み位置における棚板の正面から見た輪郭を、動植物若しくは人物の全体若しくは一部を模した形状、又は、他の事物の全体若しくは一部を模した形状のうちから選ばれたいずれか１つ又はそれらの組合せとして形成することも効果的である。
また、１枚のベース板に対して設けられる棚板の数は、必ずしも１枚とは限らず、複数枚の棚板を取り付けるようにしてもよい。
【考案の効果】
【０００８】
本考案に係る折り畳み棚においては、前記ベース板の正面から見た輪郭が、動植物若しくは人物の全体若しくは一部を模した形状、又は、他の事物の全体若しくは一部を模した形状のうちから選ばれたいずれか１つ又はそれらの組合せとして形成されているため、棚板を使用しない時でも壁面の外観が無機質で味気なく感じられることがなくなり、また、棚板上に鉢植えの植物や置物などを載せたときには、それらの載置物とベース板の独特の輪郭形状とが一緒になり、壁面上のインテリアとしての役割を果たすものであるから、従来品のように無味乾燥で味気ないという問題点が解消されるものである。
前記ベース板や棚板は、プラスチック製のものや木製のものとすることができるので、各種使用環境や販売価格に対応することができる。
また、前記ベース板の正面から見た輪郭の代表的なものとして、植物の花や葉を模した形状、動物の顔を模した形状、昔の建物の形状等を採用することにより、多くの使用環境において違和感のないインテリアとしての効果を達成し得る。
更にまた、ベース板の形状だけでなく、棚板についても、前記折り畳み位置における棚板の正面から見た輪郭を、動植物若しくは人物の全体若しくは一部を模した形状、又は、他の事物の全体若しくは一部を模した形状のうちから選ばれたいずれか１つ又はそれらの組合せとして形成することにより、ベース板との調和、一体感を増すことができ、全体的なバランスを向上させることができる。
【図面の簡単な説明】
【０００９】
【図１】本考案に係る折り畳み棚の一実施例を、その棚板を折り畳んだ状態において示す正面図及びその１Ａ−１Ａ線及び１Ｂ−１Ｂ線に沿った断面図である。
【図２】図１に示した折り畳み棚のベース板の正面図及びその２Ａ−２Ａ線及び２Ｂ−２Ｂ線に沿った断面図である。
【図３】図１に示した折り畳み棚の棚板の正面図及びその３Ａ−３Ａ線及び３Ｂ−３Ｂ線に沿った断面図である。
【図４】図１に示した折り畳み棚の棚板の折り畳み状態からの引き起し操作を示す断面図である。
【図５】本考案に係る折り畳み棚のもう１つの実施例を示す正面図である。
【図６】本考案に係る折り畳み棚のもう１つの実施例を示す正面図である。
【図７】本考案に係る折り畳み棚の更にもう１つの実施例を示す正面図及びその７Ａ−７Ａ線及び７Ｂ−７Ｂ線に沿った断面図である。
【考案を実施するための形態】
【００１０】
以下に本考案に係る折り畳み棚の好ましい実施例を図面に基いて説明するが、本考案はそれらの実施例に限らず、その形状等は想定される使用状況に対応させて様々に変更し得るものである。
【実施例１】
【００１１】
図１乃至図４の実施例に示す如く、本発明に係る折り畳み棚１は、室内の壁面若しくは建物の外壁等に取り付けられるベース板２と、これに回動自在に取り付けられる棚板３とから構成されている。
ベース板２は、図２に示す如く、その前面に、不使用時の棚板３を収容するための凹部２２が形成され、例えば、当該凹部２２の底面に設けた複数の釘孔若しくはネジ孔２３を利用して所望の壁面に釘付け若しくはネジ止めされるようになっている。壁面へのベース板２の固定方法は、これに限らず、壁面の状態に応じて接着剤等により取り付けるようにしてもよい。
一方、棚板３は、図３に示す如く、この実施例では、受皿部３１とその周縁に沿って形成されたフランジ３２とを有する略四角形の薄い皿状の部材から成り、その左右両フランジ３２の下端近くに明けた軸支孔３３と、ベース板２の凹部２２の側壁面の下端近くに明けた軸受孔２４とに挿通された軸支ピン３４によって、棚板３は軸支ピン３４を中心に前後に回動するようになっている（図４参照）。即ち、棚板３の不使用時には、図４（イ）に示すように、棚板３をベース板２の凹部２２内に収容しておき、棚板３を使用する時には、図４（ロ）に示す如く棚板３を手前へ引き起し、図４（ハ）に示す如く棚板３がベース板２に対して直角（略直角な状態を含む。）となる限界位置まで引き降ろした上で、棚板３上に植木鉢や置物等を載置するものである。棚板３を、図１及び図４（イ）に示すような折り畳み位置（収納位置）に維持するため、ベース板２の凹部２２と棚板３との間に適宜の係止具や面ファスナーを取り付けるようにしてもよい。
また、棚板３を引き起こす操作を容易にするために、棚板３の前面に把っ手部材を取り付けたり、また、棚板３上に植木鉢等を載置したときの荷重に耐えられるようにベース板２や棚板３に適宜の補強部材や支持部材を設けたり、更にまた、それらの把っ手部材、補強部材、支持部材等を装飾を兼ねた形状のものとしたりすることも可能である。
ベース板２及び棚板３の材質は、プラスチック、木材、セラミック、金属など任意であるが、最も安価に提供し得る点や、成形時に表面に各種凹凸模様を容易に形成できる点ではプラスチックが有利であり、高級な質感が得られる点では木材やセラミックが有利であるので、使用場面に応じて最適の材質を選定し、製造、提供するようにする。
【００１２】
本考案に係る折り畳み棚の最も特徴とするところは、ベース板２の正面から見た輪郭が、従来の如く単なる矩形の枠体ではなく、動植物若しくは人物の全体若しくは一部を模した形状、又は、他の事物の全体若しくは一部を模した形状のうちから選ばれたいずれか１つ又はそれらの組合せとして形成されていることにある。
即ち、図１及び図２に示したベース板２においては、凹部２２の周囲の拡張縁部２１によって、４弁の花を模した形状が形成されている。このようなベース板２の外形についてはシンプルなものから複雑なものまで多種多様なモチーフを採用することが可能であり、例えば、植物であれば、その一部分である花や葉のほか、大木の全体像や、花と葉の組合せ、等々の形状とすることが可能である。
また動物であれば、例えば、パンダやライオン、象などの顔のほか、リスやウサギ、馬、羊、象、フクロウ、イルカなどの全身像を採用することが可能である。
このような動物をモチーフとした折り畳み棚は、例えば幼稚園の室内の壁若しくは外壁に好適に取り付けて使用できる。或いはまた、動物園に最寄りの駅舎の壁面に好適に取り付けて使用できる。
また、人物をモチーフとする場合には、例えば、エンゼル（天使）や、座位の阿弥陀仏の全身像などを採用することが可能である。それらをモチーフとした折り畳み棚は、例えば教会や寺院の室内の壁面若しくは外壁に好適に取り付けて使用できる。また、有名キャラクターの顔などもモチーフとでき、そのキャラクターと関連のある地域や施設の建物の内外壁に好適に取り付けて使用できる。
これらのほか、事物についてもモチーフとして利用でき、例えば、教会の鐘の形や、リース（オリーブの枝などを丸く曲げて編んだ飾り物）の形状、城郭や寺社などの昔の建物の形状などもモチーフとして利用できる。それらの他にも使用場面に応じて各種各様の事物をベース板２の形状のモチーフとして利用することができる。
また、棚板３の上に載置するものも、植木鉢に限らず、各種の置物や装飾品も載置でき、また、ベース板２の形状モチーフに合わせて、各種キャラクターのフィギア等を載置することも可能である。
【００１３】
ここで、図１乃至図４に示した実施例に係る折り畳み棚１の各部の仕様の一例を掲げれば、ベース板２及び棚板３の材質はプラスチックであり、ベース板２については図２に示す如く、その横幅ａ＝縦幅ｂ＝２２０ｍｍ、凹部２２の横幅ｃ＝縦幅ｄ＝１１０ｍｍ、厚さｅ＝１５ｍｍ、凹部２２の深さｆ＝１０ｍｍ、拡張縁部２１の１つの円弧の半径ｒ１＝３０．５ｍｍであり、棚板３については図３に示す如く、その横幅ｇ＝１０９ｍｍ、縦幅ｈ＝１０８．５ｍｍ、フランジを含めた厚さｉ＝９ｍｍ、フランジだけの高さｊ＝６ｍｍ、軸支される辺とは反対側の辺の両隅の丸味の半径ｒ２＝１０ｍｍである。
ただし、上記仕様は単なる一例に過ぎず、例えば城郭のデザインを採用したような場合には、各寸法を大幅に増大させることも可能である。
【００１４】
なお、ベース板２や棚板３の前面は必ずしも完全に平坦な面である必要はなく、棚板３の取り付けや使用時の取扱いに支障がない範囲での凹凸を設けてもよい。
また、図示した実施例では、正面図において、棚板３の輪郭全体がベース板２の輪郭の範囲内に納まっているが、棚板３の一部がベース板２の輪郭からはみ出すような形状であっても良い。
即ち、ベース板２により棚板３が回動自在に保持されていれば、棚板３の折り畳みや引き起しに支障がないので、これを阻害しない範囲であれば、ベース板２及び棚板３の形状に特に制限はない。
従って、これらの制約がないことにより、ベース板２及び棚板３のデザインの自由度が増すものである。
【実施例２】
【００１５】
図５には、ベース板２の輪郭を、植物の葉を模した形状にした実施例が示されている。
この折り畳み棚１は、例えば、通常の家庭のキッチンや勉強部屋の壁に取り付けられ、棚板３を引き起こしてその上に植木鉢その他各種置物やお気に入りの品物を載置することができるが、そのような物を置かないときは、棚板３を図示する如く折り畳んでおくことにより、インテリアの一種として室内の雰囲気にアクセントを添えることができる。
【実施例３】
【００１６】
図６には、ベース板２の輪郭を、教会の鐘を模した形状にした折り畳み棚１の実施例が示されている。
この折り畳み棚１は、例えば教会やクリスチャンの家の壁、或いはまた、クリスマスの時期の一般家庭の壁に取り付けられ、その棚板３上に例えばキャンドルを載せたり、マリア像を飾ったりするのにも好適に利用できる。
【実施例４】
【００１７】
図７には、ベース板２の輪郭だけでなく、棚板３の輪郭についても花形若しくはクローバ形に形成した実施例が示されている。
このように構成することにより、ベース板２と棚板３とのデザイン上の統一性が確保でき、棚板３を引き起こして植木鉢等を載せたときにも、インテリアとしてバランスのよい外観が得られる。
【００１８】
なお、これまでの実施例においては、ベース板や棚板の輪郭を花や葉、鐘などをそれぞれ単独で表したものに形成してあるが、植物と動物を組み合わせた図形（例えば、花と蝶）や、人物と事物を組み合わせた図形（例えば、エンゼルと鐘）とすることも可能である。
また、１枚のベース板に対して設けられる棚板の数も、必ずしも１枚とは限らず、複数枚の棚板を取り付けるようにしてもよい。例えば、ベース板を城郭のデザインとした場合に、その幾つかある窓や扉の部分を、折り畳み可能な棚板として構成することができる。
【産業上の利用可能性】
【００１９】
本考案は以上のように構成したので、従来の折り畳み棚のような味気なさを解消し、その棚板上に鉢植えや置物等を載置することにより、鉢植え等を含めたインテリアとしての効果を発揮できると共に、建物の外壁面に取り付けて使用しても、違和感のない折り畳み棚を提供し得るものである。
【符号の説明】
【００２０】
１      折り畳み棚
２      ベース板
３      棚板
２１    拡張縁部
２２    凹部
２３    釘孔
２４    軸受孔
３１    受皿部
３２    フランジ
３３    軸支孔
３４    軸支ピン
【図１】
0003161189.tif 000003
【図２】
0003161189.tif 000004
【図３】
0003161189.tif 000005
【図４】
0003161189.tif 000006
【図５】
0003161189.tif 000007
【図６】
0003161189.tif 000008
【図７】
0003161189.tif 000009